(57)【特許請求の範囲】
【請求項１】
建物の骨格を形成する骨格部材に設けられ、床の四周に設置された一対の床妻大梁及び一対の床桁大梁と、
前記床において、前記一対の床妻大梁の一方から前記床桁大梁に沿う方向の前記床の一部であって、前記床妻大梁に沿う方向の全幅に亘って開口された床開口部と、
前記床開口部に面して、前記一対の床桁大梁に取り付けられた桁大梁補強部材及び前記床妻大梁に取り付けられた妻大梁補強部材と、
前記桁大梁補強部材及び前記妻大梁補強部材により支持されて前記床よりも低い位置に配置された小梁部材と、
前記床開口部の外部の既設の床側の端縁部において前記既設の床と前記小梁部材との間の高さで前記床桁大梁の間に架け渡された第１下床小梁と、
前記床開口部において、前記既設の床と前記小梁部材との間で第１下床小梁と略等しい高さに配置され、かつ、前記床開口部を前記床桁大梁に沿う方向に横切って前記妻大梁補強部材と前記第１下床小梁との間に架け渡された第２下床小梁と、
前記床開口部の一部を覆って前記第２下床小梁に支持され、前記床桁大梁に沿う方向に前記既設の床に連続する付加床を形成する付加床材と、
を備え、
前記妻大梁補強部材は、前記第２下床小梁を支持する小梁支持ブラケットと、小梁受金具を介して前記第２下床小梁よりも低位置に前記小梁部材を支持する受金具支持ブラケットとを備えることを特徴とする建物の床構造。
【請求項２】
前記第２下床小梁と前記小梁部材は直交配置されていることを特徴とする請求項１に記載の建物の床構造。
【請求項３】
前記第２下床小梁は、長手方向の両端部が、前記妻大梁補強部材と前記第１下床小梁とにそれぞれ結合された小梁支持ブラケットに支持されていることを特徴とする請求項１または請求項２に記載の建物の床構造。
【請求項４】
前記付加床材の下側に、床断熱材が設けられていることを特徴とする請求項１〜請求項３のいずれか１項に記載の建物の床構造。
【請求項５】
前記小梁部材に落とし込み床材が支持されて、前記床よりも低い位置に落とし込み床が形成され、
前記落とし込み床材の下側に、床断熱材が設けられ、
前記落とし込み床の側縁と、前記床桁大梁及び床妻大梁との間に、側部断熱材が設けられていることを特徴とする請求項４に記載の建物の床構造。
【請求項６】
前記床開口部を通して前記小梁部材に、バスユニットが支持されていることを特徴とする請求項１〜請求項５のいずれか１項に記載の建物の床構造。
【発明の詳細な説明】
【技術分野】
【０００１】
本発明は、建物の床構造に関し、特に、建物ユニットにおいてバスユニットを設置するのに好適な床構造に関する。
【背景技術】
【０００２】
従来、骨格部材を備えた建物ユニットに浴室を設置する場合、骨格部材を構成する床小梁の上に、バスユニットを設置するのが一般的である。
【０００３】
また、バスユニットの床面と、浴室に隣接された部屋の床面との間に段差が生じないようにするため、建物ユニットに対するバスユニット及び浴槽の設置高さを床面よりも低くしたものも知られている（例えば、特許文献１、特許文献２参照）。
このうち特許文献２には、建物ユニットにおいて、骨格部材の床小梁を取り除いて床に開口部を形成し、この開口部に落とし込み床を形成し、この落とし込み床にバスユニットを設置した技術が開示されている。
【先行技術文献】
【特許文献】
【０００４】
【特許文献１】特開２００２−４４２９号公報
【特許文献２】特開２０１０−１５９６０２号公報
【発明の概要】
【発明が解決しようとする課題】
【０００５】
上述の特許文献２に記載の技術では、建物ユニットの設置後のリフォームなどにおいて床小梁を切除して、建物ユニットの全幅に亘って床開口部を形成し、この床開口部にバスユニットを設置した構造となっていた。
このため、バスユニットは、建物ユニットの全幅に亘る大きさのものに制約されているとともに、浴室外の居室空間もバスユニットにより制約を受け、設計自由度が制限されていた。
【０００６】
本発明は、上述の問題を解決することを目的とするものであり、建物の床に床開口部を設ける床構造において、設計自由度の向上を図ることが可能な建物の床構造を提供することを目的としている。
【課題を解決するための手段】
【０００７】
上記目的を達成するために、本発明は、建物の骨格を形成する骨格部材に設けられ、床の四周に設置された一対の床妻大梁及び一対の床桁大梁と、前記床において、前記一対の床妻大梁の一方から前記床桁大梁に沿う方向の前記床の一部であって、前記床妻大梁に沿う方向の全幅に亘って開口された床開口部と、前記床開口部に面して、前記一対の床桁大梁に取り付けられた桁大梁補強部材及び前記床妻大梁に取り付けられた妻大梁補強部材と、前記桁大梁補強部材及び前記妻大梁補強部材により支持されて前記床よりも低い位置に配置された小梁部材と、前記床開口部の外部の既設の床側の端縁部において前記既設の床と前記小梁部材との間の高さで前記床桁大梁の間に架け渡された第１下床小梁と、前記床開口部において、前記既設の床と前記小梁部材との間で第１下床小梁と略等しい高さに配置され、かつ、前記床開口部を前記床桁大梁に沿う方向に横切って前記妻大梁補強部材と前記第１下床小梁との間に架け渡された第２下床小梁と、前記床開口部の一部を覆って前記第２下床小梁に支持され、前記床桁大梁に沿う方向に前記既設の床に連続する付加床を形成する付加床材と、を備え、前記妻大梁補強部材は、前記第２下床小梁を支持する小梁支持ブラケットと、小梁受金具を介して前記第２下床小梁よりも低位置に前記小梁部材を支持する受金具支持ブラケットとを備えることを特徴とする建物の床構造とした。
また、請求項２に記載の発明は、請求項１に記載の建物の床構造において、前記第２下床小梁と前記小梁部材は直交配置されていることを特徴とする建物の床構造とした。
【０００８】
また、請求項３に記載の発明は、請求項１または請求項２に記載の建物の床構造において、前記第２下床小梁は、長手方向の両端部が、前記妻大梁補強部材と前記第１下床小梁とにそれぞれ結合された小梁支持ブラケットに支持されていることを特徴とする建物の床構造とした。
また、請求項４に記載の発明は、請求項１〜請求項３のいずれか１項に記載の建物の床構造において、前記付加床材の下側に、床断熱材が設けられていることを特徴とする建物の床構造とした。
また、請求項５に記載の発明は、請求項４に記載の建物の床構造において、前記小梁部材に落とし込み床材が支持されて、前記床よりも低い位置に落とし込み床が形成され、前記落とし込み床材の下側に、床断熱材が設けられ、前記落とし込み床の側縁と、前記床桁大梁及び床妻大梁との間に、側部断熱材が設けられていることを特徴とする建物の床構造とした。
また、請求項６に記載の発明は、請求項１〜請求項５のいずれか１項に記載の建物の床構造において、前記床開口部を通して前記小梁部材に、バスユニットが支持されていることを特徴とする建物の床構造とした。
【発明の効果】
【０００９】
本発明では、床桁大梁間の全幅に亘って形成された床開口部の一部に、床開口部の外部の既設の床に連続する付加床を設定し、その残りの開口部分に、小梁部材を既設の床よりも低く設置した構造とした。
このため、床の造形バリエーションが増え、設計自由度が向上する。加えて、床開口部の周縁の床下には、第１下床小梁及び第２下床小梁を設置しているため、既設の床及び付加床の支持強度も確保できる。
【００１０】
さらに、請求項３に記載の発明では、第２下床小梁は、床開口部の両端部に配置された妻大梁補強部材と第１下床小梁とに結合された小梁支持ブラケットにより支持するようにした。このため、第２下床小梁による支持強度を確保できる。
また、請求項４に記載の発明では、付加床材の下側に床断熱材を設けたため、床開口部に新設した付加床の断熱性を確保することができる。
さらに、請求項５に記載の発明では、落とし込み床材を小梁部材により支持して形成した落とし込み床において、落とし込み床材の下側に床断熱材を設け、落とし込み床の側縁と床桁大梁及び床妻大梁との間に側部断熱材を設けたため、床開口部から落とし込んで設けた落とし込み床において高い断熱性を確保できる。
加えて、請求項６に記載の発明では、小梁部材によりバスユニットを支持しているため、落とし込みタイプのバスユニットの設置自由度を向上できる。
【図面の簡単な説明】
【００１１】
【図１】図１は、本発明の実施の形態の建物の床構造を適用した建物ユニットの骨格部材を示す斜視図である。
【図２】図２は、実施の形態の建物の床構造を適用した建物ユニットの床構造部分を示す図であって、（ａ）は平面図であり、（ｂ）は（ａ）のＳｂ−Ｓｂ線の位置で切断した状態を示す断面図である。
【図３】図３は、実施の形態の建物の床構造を構築するための作業手順を示すフローチャートである。
【図４】図４は、実施の形態の建物の床構造の構築時の床小梁の撤去作業を説明する斜視図であり、（ａ）は撤去前、（ｂ）は撤去途中、（ｃ）は撤去後の状態を示す。
【図５】図５は、実施の形態の建物の床構造の構築時の第１間仕切下床小梁取付作業を示す斜視図である。
【図６】図６は、実施の形態の建物の床構造の構築時の妻大梁補強部材取付作業を示す斜視図である。
【図７】図７は、実施の形態の建物の床構造の構築時の桁梁補強部材取付作業を示す斜視図である。
【図８】図８は、実施の形態の建物の床構造の構築時の小梁受金具取付作業を示す斜視図である。
【図９】図９は、実施の形態の建物の床構造の構築時の小梁部材取付作業を示す斜視図である。
【図１０】図１０は、実施の形態の建物の床構造の構築時の小梁部材取付作業において小梁部材の取付時の状態を図９とは視点を変えて示す斜視図である。
【図１１】図１１は、実施の形態の建物の床構造の構築時の小梁部材取付作業において第１間仕切下小梁の取付時の状態を図９とは視点を変えて示す斜視図である。
【図１２】図１２は、実施の形態の建物の床構造の構築時の床根太取付作業を示す斜視図である。
【図１３】図１３は、実施の形態の建物の床構造の構築時の床断熱材設置作業を示す斜視図である。
【図１４】図１４は、実施の形態の建物の床構造の構築時の床材設置作業を示す斜視図である。
【図１５】図１５は、実施の形態の建物の床構造の構築時の側部断熱材設置作業を示す斜視図である。
【図１６】図１６は、実施の形態の建物の床構造を用いたリフォームを説明するための図であり、（ａ）はリフォーム前のユニット建物の平面図であり、（ｂ）はリフォーム後のユニット建物の平面図である。
【発明を実施するための形態】
【００１２】
以下、本発明の実施の形態について、添付図面を参照しながら説明する。
なお、本実施の形態では、図１６（ａ）に示すユニット建物Ｈの１階部分を同図（ｂ）に示すようにリフォームするのにあたり、特に、床上設置タイプのバスユニットＢＵｂから、浴槽底部が床下に配置された落とし込みタイプのバスユニットＢＵに変更する場合について説明する。
【００１３】
以下に、実施の形態の床構造について図１〜図１６に基づいて説明する。
図１６に示すユニット建物Ｈは、複数の建物ユニットＵＮを結合して構成されている。各建物ユニットＵＮは、周知のように、図１に示す骨格となる金属製の骨格部材１０を備えている。
【００１４】
骨格部材１０は、その床構造部分は、図２（ａ）の平面図に示すように、一対の床桁大梁１１，１１と一対の床妻大梁１２，１２とにより長方形の枠状に形成され、床桁大梁１１，１１の間には、複数の金属製の床小梁１３が架け渡されている。
また、天井部分も、天井桁大梁１７，１７と天井妻大梁１８，１８とにより長方形の枠状に形成され、長方形の四隅で柱１９により床構造部分と結合されて箱枠状に形成されている。
【００１５】
図２（ａ）に示すように、床妻大梁１２，１２の間には、木製の床根太１４が架け渡されている。なお、この床根太１４は、図２（ｂ）に示すように、床小梁１３の上に設置されており、また、床根太１４の上には、床材１５が設けられている。
【００１６】
本実施の形態では、建物ユニットＵＮにおいて、図２に示す設置領域ＳＵに、他の領域の既設の床ＦＬの高さよりも低い落とし込み床ＤＦＬ（図１５参照）を形成する。すなわち、本実施の形態では、住宅のリフォームにあたって、設置領域ＳＵにバスユニットＢＵ（図１６参照）を設置する。このバスユニットＢＵは、その内部である浴室の床ＦＬ３（図１６参照）と隣接する部屋の既設の床ＦＬ（図５参照）との段差を無くすと共に、浴室の床ＦＬ３から浴槽の縁までの立ち上がりの高さを、２０ｃｍ〜４５ｃｍ程度とした、いわゆる落とし込みタイプのものである。このため、設置領域ＳＵに、浴室外の部屋の床ＦＬの高さよりも低く落とし込み床ＤＦＬ（図１５参照）を形成するものである。
【００１７】
そこで、本実施の形態では、まず、設置領域ＳＵに落とし込み床ＤＦＬを形成するまでの作業手順を説明し、これに基づいて、実施の形態の建物の床構造を説明する。
【００１８】
図３は、作業手順を示すフローチャートである。
最初のステップＳ１では、床材、床根太、床小梁の撤去作業を行う。
次のステップＳ２では、第１間仕切下床小梁取付作業を行う。
次のステップＳ３では、妻大梁補強部材取付作業を行う。
次のステップＳ４では、桁大梁補強部材取付作業を行う。
次のステップＳ５では、小梁受金具取付作業を行う。
次のステップＳ６では、小梁部材取付作業を行う。
次のステップＳ７では、床根太取付作業を行う。
次のステップＳ８では、床断熱材設置作業を行う。
次のステップＳ９では、床材設置作業を行う。
次のステップＳ１０では、側部断熱材設置作業を行う。
次のステップＳ１１では、配管及び床材気密作業を行う。
次のステップＳ１２では、バスユニット設置作業を行う。
【００１９】
以下に、各作業について、詳細に説明する。
（床板、床根太、床小梁の撤去作業）
床材１５、床根太１４、床小梁１３の撤去作業では、まず、図２に示す設置領域ＳＵを含み、バスユニットＢＵｂが設置されていた範囲において、木製の床材１５及び床根太１４を撤去し、さらに、金属製の床小梁１３を撤去する。
本実施の形態では、２本の床小梁１３，１３（図２（ａ）において１３（ａ）の符号を付したもの）を撤去する。この場合、図４（ａ）に示す床小梁１３の長手方向両端に結合されていると共に床桁大梁１１に結合された小梁受フランジ１３ａを、例えば、レシプロソーなどの切断機Ｃを用いて切断し、図４（ｂ）（ｃ）に示すように床小梁１３を撤去する。
これにより、図５に示すように、床ＦＬにおいて、設置領域ＳＵを含んで建物ユニットの全幅（床妻大梁１２に沿う方向の全幅）に亘って床開口部１６が開口される。
【００２０】
（第１間仕切下床小梁取付作業）
第１間仕切下床小梁取付作業は、床ＦＬの床開口部１６において、同ユニットの既設の床材１５の端縁から少し間隔を空けた位置に第１間仕切下床小梁（第１下床小梁）２１を設置する作業である。
【００２１】
すなわち、バスユニットＢＵの設置位置には、図１６（ｂ）に示すように浴室を仕切るための第１間仕切壁Ｗ１及び第２間仕切壁Ｗ２を立設する。この第２間仕切壁Ｗ２を支持するために、その下方位置に、第１間仕切下床小梁２１を設置する。
第１間仕切下床小梁２１は、金属チャンネル状の本体２１ａと、その上面に本体２１ａに沿って螺子などにより固定された木桟２１ｂとを備えている。そして、第１間仕切下床小梁２１の本体２１ａの長手方向両端に結合された取付ブラケット２１ｃ，２１ｃを、床桁大梁１１に締結する。
【００２２】
また、本体２１ａには、図６に示すように、床妻大梁１２に対向する側面に小梁支持ブラケット２３が取り付けられている。この小梁支持ブラケット２３は、後述する第２間仕切下床小梁（第２下床小梁）２２を支持するためのもので、図１１にも示すように、水平方向の支持板２３ａの両側から側板２３ｂ，２３ｂを立ち上げて、上方に開口したＵ字断面形状に形成されている。
【００２３】
（妻大梁補強部材取付作業）
妻大梁補強部材取付作業は、図６に示すように、床妻大梁１２に後述する小梁部材６０及び第２間仕切下床小梁２２（図９参照）を支持するための妻大梁補強部材３０を取り付ける作業である。
【００２４】
妻大梁補強部材３０は、金属製のベース部材３１と受金具支持ブラケット３２，３２と小梁支持ブラケット３３とを備えている。
ベース部材３１は、Ｃ型チャンネル状の床妻大梁１２の下側フランジ１２ａと側板１２ｂとに沿うことが可能なＬ字断面形状に形成されている。
受金具支持ブラケット３２は、後述する小梁部材６０を支持するための小梁受金具５０（図８参照）を取り付けるためのブラケットで、ベース部材３１から水平方向に突出されて溶接などにより一体に結合されている。この受金具支持ブラケット３２は、一対の側板３２ａ，３２ａと、これら側板３２ａ，３２ａの上端を結ぶ上板３２ｂとにより、逆Ｕ字断面形状に形成されている。
小梁支持ブラケット３３は、後述する第２間仕切下床小梁２２を支持するためのブラケットで、図１１にも示すように、水平方向の支持板３３ａの両側から側板３３ｂ，３３ｂを立ち上げて、上方に開口したＵ字断面形状に形成されている。
なお、この小梁支持ブラケット３３は、前述した小梁支持ブラケット２３と、水平方向で対向して配置されている。
【００２５】
妻大梁補強部材３０は、図７に示すように、床妻大梁１２に結合する。この結合は、ベース部材３１の複数箇所にあらかじめ下孔を開け、ＳＴロックなどと称される一方からの作業で締結できる締結具を用いるのが好ましい。なお、ベース部材３１と床妻大梁１２の下側フランジ１２ａとの間には、シート状のスペーサ３９を介在させる（図６参照）。
【００２６】
（桁梁補強部材取付作業）
桁梁補強部材取付作業は、図７に示すように、床桁大梁１１，１１に後述する小梁部材６０を支持するための一対の桁大梁補強部材４０を取り付ける作業である。
【００２７】
桁大梁補強部材４０は、金属製のベース部材４１と３つの受金具支持ブラケット４２，４２，４２とを備えている。
ベース部材４１は、Ｃ型チャンネル状の床桁大梁１１の下側フランジ１１ａと側板１１ｂとに沿うことが可能なＬ字断面形状に形成されている。
受金具支持ブラケット４２は、溶接などにより一体に結合されており、一対の側板４２ａ，４２ａと、これら側板４２ａ，４２ａの上端を結ぶ上板４２ｂとにより、逆Ｕ字断面形状に形成されている。なお、一対の桁大梁補強部材４０は、各受金具支持ブラケット４２が、後述する小梁部材６０の設置位置に応じ、床妻大梁１２に沿う方向に対向して配置されている。
【００２８】
この桁大梁補強部材４０の床桁大梁１１への結合は、ベース部材４１の複数箇所にあらかじめ下孔を開け、ＳＴロックなどと称される一方からの作業で締結できる締結具を用いるのが好ましい。なお、ベース部材４１と床桁大梁１１の下側フランジ１１ａとの間には、シート状のスペーサ４９を介在させる。
【００２９】
（小梁受金具取付作業）
小梁受金具取付作業は、各補強部材３０，４０の受金具支持ブラケット３２，４２に、それぞれ、小梁部材６０を支持するための小梁受金具５０を取り付ける作業である。
【００３０】
小梁受金具５０は、図８に示すように、Ｚ型鋼製のベース５１の両側に側部フランジ５２，５２を立ち上げ、ベース５１の上裏側と下表側とに箱状の上側受部５３と下側受部５４とが形成されている。
【００３１】
すなわち、ベース５１は、受金具支持ブラケット３２，４２の上板３２ｂ，４２ｂの上面に被せられる上部フランジ５１ａと、この上部フランジ５１ａから略直角に折曲されて下方に延在された脚板５１ｂと、この脚板５１ｂの下端部から裏側の上部フランジ５１ａとは逆に表側に略直角に折曲されて後述する小梁部材を受け止める下部フランジ５１ｃとを備えている。
側部フランジ５２，５２は、脚板５１ｂの側端縁に結合されると共に、上部フランジ５１ａと下部フランジ５１ｃとの両側縁に結合されている。
したがって、図８において拡大して示すように、小梁受金具５０の脚板５１ｂの表面側の下端部には、脚板５１ｂと、下部フランジ５１ｃと、その左右の側部フランジ５２，５２により箱状に囲まれた下側受部５４が形成されている。
これと同様に、小梁受金具５０の脚板５１ｂの裏面側の上端部には、脚板５１ｂと、上部フランジ５１ａと、その左右の側部フランジ５２，５２により箱状に囲まれた上側受部５３が形成されている。
【００３２】
このような小梁受金具５０を、各補強部材３０，４０の受金具支持ブラケット３２，４２に取り付ける場合、図８において拡大して示しているように、上部フランジ５１ａを各受金具支持ブラケット３２，４２の上側から被せるようにして、各受金具支持ブラケット３２，４２の外周に上側受部５３を装着して、締結材により締結して固定する。
【００３３】
（小梁部材取付作業）
小梁部材取付作業では、図９に示す小梁部材６０及び第２間仕切下床小梁２２を、骨格部材１０に取り付ける。
小梁部材６０は、図１０に示すように、金属製で長方形筒状に形成されている。さらに、３本の小梁部材６０のうちで、床妻大梁１２の近傍に設置される小梁部材６０には、床妻大梁１２の方向に突出した連結受具６３が設けられている。
【００３４】
各小梁部材６０は、長手方向両端部を、小梁受金具５０の下側受部５４において下部フランジ５１ｃの上に載置し、切欠部６４の上方から、ボルトなどの締結具を用いて小梁受金具５０に締結して固定される。
なお、床妻大梁１２の近傍に設置される小梁部材６０は、隣り合う小梁部材６０と連結小梁６５により連結される。
【００３５】
また、第２間仕切下床小梁２２は、小梁部材６０と同様に、金属製で四角筒状に形成されており、長手方向両端部を、小梁支持ブラケット２３，３３に、ボルトなどの締結具を用いて結合される。
【００３６】
（床根太取付作業）
床根太取付作業は、各間仕切下床小梁２１，２２と床桁大梁１１及び床小梁１３との間に第１付加根太２４ａ及び第２付加床根太２４ｂを掛け渡す作業である。
すなわち、第１付加根太２４ａは、既設の床根太１４に接して配置されて、第１間仕切下床小梁２１とこれに隣り合う床小梁１３との間に掛け渡されて固定されている。
【００３７】
また、第２間仕切下床小梁２２も、第１間仕切下床小梁２１と同様に、その上面に木桟２２ｂが固定されている。そして、第２付加床根太２４ｂは、第２間仕切下床小梁２２と床桁大梁１１との間に掛け渡されて固定されている。
【００３８】
（床断熱材設置作業）
床断熱材設置作業は、床開口部１６において、床面の下方位置に、図１３に示すように板状の床断熱材７１ａ，７１ｂを設置する作業である。
【００３９】
すなわち、本実施の形態では、床開口部１６には、図１５に示すように、新に、設置領域ＳＵに隣り合って既設の床ＦＬと同じ高さに連続するように付加された付加床ＡＦＬと、既設の床ＦＬよりも低い位置の落とし込み床ＤＦＬと、を設置する。
【００４０】
床断熱材７１ａ，７１ｂは、これらの落とし込み床ＤＦＬと付加床ＡＦＬとに設置する。
この設置にあたり、詳細な図示は省略するが、小梁部材６０及び第２付加床根太２４ｂから、その下面の高さに水平方向に支持材（図示省略）を延ばしておく。また、床断熱材７１ａ，７１ｂは、小梁部材６０の間の空間、及び第２付加床根太２４ｂの間の空間の平面形状に一致する形状に切断した上で、この空間内に配置し、前述した支持材（図示省略）によりその下面を支持するようにして設置する。
なお、板状の床断熱材７１ａ，７１ｂとしては、例えば、フェノール樹脂を発泡硬化させたものを用いる。
【００４１】
（床材設置作業）
床材設置作業は、図１４に示すように、落とし込み床ＤＦＬと付加床ＡＦＬとの位置（図１５参照）及び第１間仕切壁Ｗ１及び第２間仕切壁Ｗ２（図１６参照）の設置位置に、それぞれ、落とし込み床材１５ｂと第１付加床材１５ｃ及び第２付加床材１５ｄを設置する。
【００４２】
すなわち、落とし込み床材１５ｂは、小梁部材６０に螺子止めし、第１付加床材１５ｃは、第２付加床根太２４ｂに螺子止めし、第２付加床材１５ｄは、第１付加床根太２４ａに螺子止めする。
なお、第２付加床材１５ｄは、第２間仕切壁Ｗ２を支持するための床材であって、第２間仕切壁Ｗ２の厚みと略同一の幅に形成されている、
（側部断熱材設置作業）
側部断熱材設置作業は、落とし込み床ＤＦＬの側面に、側部断熱材７２を設置する作業である。   
本実施の形態では、側部断熱材７２として変形容易なグラスウールを用い、図１５に示すように、落とし込み床ＤＦＬの側面の全周に亘って隙間無く敷き込み、図示を省略した鋲打機などを用いて針などの固定具により固定する。なお、この側部断熱材７２は、気密性を有した接着テープにより上面を覆って気密性を確保するのが好ましい。
【００４３】
（配管及び床材気密作業）
配管及び床材気密作業は、以上のようにして形成した落とし込み床ＤＦＬの必要箇所に穴を開けて配管を行い、第１付加床材１５ｃの間の隙間や、配管による穴の隙間などを、接着テープ（図示省略）などによりシールして気密性を確保する作業である。
【００４４】
（バスコア設置作業）
バスコア設置作業は、図１６（ｂ）に示すバスユニットＢＵを、落とし込み床ＤＦＬに設置する作業である。さらに、このバスユニットＢＵの設置に伴い、各間仕切下床小梁２１，２２の上方位置に、各間仕切壁Ｗ１，Ｗ２を設置する。
【００４５】
この第２間仕切壁Ｗ２の設置状態で、付加床ＡＦＬは、図１６（ｂ）に示すように、浴室の外部の玄関スペースに含まれることになる。
【００４６】
以上のようにして構成された実施の形態の建物の床構造は、建物ユニットＵＮの骨格を形成する骨格部材１０において、床妻大梁１２に沿う方向の全幅に亘って開口された床開口部１６と、床開口部１６に面して、床桁大梁１１，１１に取り付けられた桁大梁補強部材４０及び床妻大梁１２に取り付けられた妻大梁補強部材３０と、桁大梁補強部材４０及び妻大梁補強部材３０により支持されて既設の床ＦＬよりも低い位置に配置された小梁部材６０と、床開口部１６の端縁部に配置されて、床桁大梁１１，１１の間に架け渡された第１間仕切下床小梁２１と、床開口部１６において、既設の床ＦＬよりも低い高さに配置され、かつ、床開口部１６を床桁大梁１１に沿う方向に横切って、妻大梁補強部材３０と第１間仕切下床小梁２１との間に架け渡された第２間仕切下床小梁２２と、第２間仕切下床小梁２２に支持され、床開口部１６の一端部を覆って床桁大梁１１に沿って既設の床ＦＬに連続する付加床ＡＦＬを形成する第１付加床材１５ｃとを備えていることを特徴とする建物の床構造である。
【００４７】
また、第２間仕切下床小梁２２は、長手方向の両端部が、妻大梁補強部材３０と第１間仕切下床小梁２１とに結合された小梁支持ブラケット２３，３３に支持されている。
さらに、第１付加床材１５ｃの下側に、板状の床断熱材７１ｂが設けられている。
そして、小梁部材６０に落とし込み床材１５ｂが支持されて、既設の床ＦＬよりも低い位置に落とし込み床ＤＦＬが形成され、落とし込み床ＤＦＬの下側に、床断熱材７１ａが設けられ、落とし込み床ＤＦＬの側縁と、床桁大梁１１，１１及び床妻大梁１２との間に、側部断熱材７２が設けられている。
また、床開口部１６を通して小梁部材６０に、バスユニットＢＵが支持されている。
【００４８】
以上のように構成された実施の形態の建物の床構造は、以下に列挙する効果を有している。
ａ）建物の床ＦＬに床開口部１６を設けて落とし込み床ＤＦＬを形成した床構造において、床開口部１６の一部に付加床ＡＦＬを設定したため、床開口部１６の一部のみを落とし込み床ＤＦＬとした設定が可能となった。
したがって、床開口部１６の全体を落とし込み床とするもののみの場合と比較して、設計自由度が向上する。
具体的には、落とし込み床ＤＦＬに落とし込みタイプのバスユニットＢＵを設置する場合、設置するバスユニットＢＵの大きさの自由度が広がる。加えて、付加床ＡＦＬは、実施の形態で示したように、バスユニットＢＵを設置する建物ユニットＵＮの外部の玄関スペースと繋げて使用することも可能となり、この点でも設計自由度が向上する。
【００４９】
ｂ）第１間仕切壁Ｗ１及び第２間仕切壁Ｗ２の設置位置には、その下方に第１間仕切下床小梁２１及び第２間仕切下床小梁２２を設置しているため、各間仕切壁Ｗ１，Ｗ２に対する十分な支持強度を確保することができる。しかも、両間仕切下床小梁２１，２２は、骨格部材１０の床桁大梁１１，１１及び床妻大梁１２に、直接あるいは間接的に結合しているため、両間仕切下床小梁２１，２２による支持強度も確保できる。
【００５０】
ｃ）付加床ＡＦＬの端部であって、第１間仕切壁Ｗ１を支持する第２間仕切下床小梁２２は、床開口部１６の端部に配置され、かつ、金属製で強度を有した妻大梁補強部材３０と第１間仕切下床小梁２１とに結合された小梁支持ブラケット３３，２３により支持するようにした。このため、第２間仕切下床小梁２２による支持強度を確保できる。
【００５１】
ｄ）床開口部１６に設けた床である落とし込み床ＤＦＬ及び付加床ＡＦＬには、それぞれ落とし込み床材１５ｂ及び第１付加床材１５ｃの下面に床断熱材７１ａ，７１ｂを設置した。このため、浴室のみならず、建物ユニットＵＮの断熱性を確保できる。
加えて、落とし込み床ＤＦＬには、その側面部分である落とし込み床材１５ｂと、各大梁１１，１１，１２及び第１間仕切下床小梁２１との間に、側部断熱材７２を設けた。このため、建物ユニットＵＮと外部との間に、各断熱材７１ａ，７１ｂ，７２が敷き詰められて、さらに断熱性に優れたものとすることができる。
【００５２】
ｅ）小梁部材６０を、各大梁１１，１２よりも低い位置で支持するための小梁受金具５０は、各補強材３０，４０において、水平方向に突出させた受金具支持ブラケット３２，４２に支持させるようにした。
このため、各大梁１１，１２の下方にコンクリート製などの基礎が存在する場合も、小梁受金具５０及び小梁部材６０を、基礎と干渉すること無くその内側に配置することができる。
【００５３】
以上、本発明の実施の形態について説明したが、本発明はこうした実施の形態に限定されるものではなく、本発明の要旨を逸脱しない範囲内において種々の変形及び置換を加えることができる。
【００５４】
例えば、実施の形態では、建物として建物ユニットを結合させて形成したユニット建物を例示したが、建物としては、ユニット建物以外の建物にも適用することができる。
【００５５】
また、実施の形態では、落とし込み床にバスユニットを設置した例を示したが、バスユニットを設置するものに限定されず、例えば、リビングなど住居空間のバリエーションとして床の一部に落とし込み床を形成するのに適用してもよい。
【００５６】
また、第１間仕切下床小梁は、既設の床の端縁部の下側に設置してもよく、この場合、第２付加床材の設定は不要となる。
【００５７】
また、小梁部材は、その形状や数は、実施の形態で示したものに限定されず、任意に設定してよい。
【００５８】
また、第１及び第２下床小梁として、間仕切壁の下方に配置される第１及び第２間仕切下床小梁を示したが、これら各下床小梁は、既設の床の端縁あるいは、付加床材を支持するものであれば、間仕切壁を支持しないものであってもよい。
【符号の説明】
【００５９】
１０   骨格部材
１１   床桁大梁
１２   床妻大梁
１５   床材
１５ｂ 落とし込み床材
１５ｃ 第１付加床材
１６   床開口部
２１   第１間仕切下床小梁（第１下床小梁）
２２   第２間仕切下床小梁（第２下床小梁）
２３   小梁支持ブラケット
３０   妻大梁補強部材
３３   小梁支持ブラケット
４０   桁大梁補強部材
５０   小梁受金具
６０   小梁部材
７１ａ 床断熱材
７１ｂ 床断熱材
７２   側部断熱材
ＡＦＬ 付加床
ＢＵ   バスユニット
ＤＦＬ 落とし込み床
ＦＬ   床
Ｈ     ユニット建物
【図１】
0005791416.tif 000002
【図２】
0005791416.tif 000003
【図３】
0005791416.tif 000004
【図４】
0005791416.tif 000005
【図５】
0005791416.tif 000006
【図６】
0005791416.tif 000007
【図７】
0005791416.tif 000008
【図８】
0005791416.tif 000009
【図９】
0005791416.tif 000010
【図１０】
0005791416.tif 000011
【図１１】
0005791416.tif 000012
【図１２】
0005791416.tif 000013
【図１３】
0005791416.tif 000014
【図１４】
0005791416.tif 000015
【図１５】
0005791416.tif 000016
【図１６】
0005791416.tif 000017